【事件の表示】
　特許第２９９６９５３号「傘」の請求項１に係る特許に対する特許異議の申立てについて、次のとおり決定する。
【結　論】
　訂正を認める。
　特許第２９９６９５３号の請求項１に係る特許を取り消す。
【理　由】
１．手続の経緯
　本件特許第２９９６９５３号に係る出願は、平成６年５月１０日に出願された特願平６−９６１８９号の一部を平成１０年７月３０日に特許法第４４条第１項の規定により新たな特許出願としたものであって、平成１１年１０月２９日に設定登録され、その後、細田益稔、シーシーピー・株式会社外２名、株式会社宮嶋、株式会社星野商店、ベルトロン株式会社外２名、株式会社オカモト、杉本光史、株式会社エムディーエム外２名、日プラ株式会社より特許異議の申立てがなされ、取消理由が通知された後、平成１３年７月６日に意見書及び訂正請求書が提出され、再度取消理由が通知された後、平成１３年１０月１９日に意見書が提出されたものである。
　
２．訂正の適否についての判断
（１）訂正事項
　特許請求の範囲の請求項１の
「ＥＶＡフィルムからなるシートを備えた傘。」を
「中棒１の外周に下ろくろ２が上下方向にスライド可能に取付けられ、中棒１の上部に樹脂によって形成された上ろくろ３が固定的に取付けられ、受骨４の一方端は下ろくろ２に回動可能に取付けられており、受骨４の他方端は親骨５の所定部分と係合するように取付けられ、親骨５の一方端は上ろくろ３に回動可能に取付けられており、親骨５の他方端にはＥＶＡフィルムからなるシート６の露先部６ａが嵌込まれており、上ろくろ３の上部には上ろくろ３との間でシート６を挟むように取外し可能な樹脂によって形成されたキャップ１０が取付けられている傘。」と訂正する。
　
（２）訂正の目的の適否、新規事項の有無及び拡張・変更の存否
　訂正事項は、請求項１の「傘」について、「ＥＶＡフィルムからなるシートを備えた」から、「中棒１の外周に下ろくろ２が上下方向にスライド可能に取付けられ、中棒１の上部に樹脂によって形成された上ろくろ３が固定的に取付けられ、受骨４の一方端は下ろくろ２に回動可能に取付けられており、受骨４の他方端は親骨５の所定部分と係合するように取付けられ、親骨５の一方端は上ろくろ３に回動可能に取付けられており、親骨５の他方端にはＥＶＡフィルムからなるシート６の露先部６ａが嵌込まれており、上ろくろ３の上部には上ろくろ３との間でシート６を挟むように取外し可能な樹脂によって形成されたキャップ１０が取付けられている」旨限定するもので、特許請求の範囲の減縮を目的としたものであり、願書に添付した明細書又は図面に記載した事項の範囲内においてなされ、実質上特許請求の範囲を拡張し、又は変更するものでない。
　
（３）まとめ
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
（１）本件発明
　本件特許の請求項１に係る発明（以下、「本件発明」という。）は、訂正明細書の特許請求の範囲の請求項１に記載された事項により特定される次のとおりのものと認める。
「中棒１の外周に下ろくろ２が上下方向にスライド可能に取付けられ、中棒１の上部に樹脂によって形成された上ろくろ３が固定的に取付けられ、受骨４の一方端は下ろくろ２に回動可能に取付けられており、受骨４の他方端は親骨５の所定部分と係合するように取付けられ、親骨５の一方端は上ろくろ３に回動可能に取付けられており、親骨５の他方端にはＥＶＡフィルムからなるシート６の露先部６ａが嵌込まれており、上ろくろ３の上部には上ろくろ３との間でシート６を挟むように取外し可能な樹脂によって形成されたキャップ１０が取付けられている傘。」
　
（２）刊行物
ア．平成１３年８月９日付けで当審が通知した取消しの理由に引用した実公平５−４７３５号公報（以下、「刊行物１」という。）には、図面とともに下記の記載がある。
「傘地２は従来より用いられている生地が全て有効であり、例えば、綿布、麻布、絹布等、アセテート、ナイロン、ポリエステル、ポリ塩化ビニール、各種混紡布等、各種合成樹脂シート、紙質等が有効である。」（第１頁第２欄第２３行目〜第２頁第３欄第２行目）
　また、第１図及び第２図には、傘の柄と親骨に取り付けられた傘地について窺える。
　
イ．同じく平成１３年８月９日付けで当審が通知した取消しの理由に引用した特公昭５９−１４１８号公報（以下、「刊行物２」という。）には、以下の記載がある。
「最近、ＥＶＡを主原料としたシートは可塑剤、安定剤等の公害問題を生ずる心配のあるものを含まないという特徴をはじめ、耐候性、耐衝撃性、耐寒性や夏冬で柔軟性が変わらない性質などの特性を生かし、車輌関係部材すなわち泥よけ、床マット、サドル、ハンドルグリップなどの用途をはじめ、防水シート、パッキング、テーブルクロスなどの従来、軟質ポリ塩化ビニルや低密度ポリエチレンなどが使われていた分野に使用されている。」（第1頁右欄第３〜１１行）
　
ウ．同じく平成１３年８月９日付けで当審が通知した取消しの理由に引用した実願昭５８−１４３６８１号（実開昭６０−５０８１１号）のマイクロフィルム（以下、「刊行物３」という。）には、図面とともに下記の記載がある。
「図面において、１はかさ軸で、このかさ軸１の下端には柄部２を、上部には、円板３を固着し、この円板３には数本のかさ骨４の端部を放射状態にそれぞれ枢着自在に設ける。
　１２は、かさ骨４と同数の支持骨で、この支持骨１２は一端をかさ骨４に、他端をスライダ１３に、それぞれ枢着自在に設ける。
　１４はかさ軸１の途中に出入自在に設けた係止片で、かさを開げた際に、スライダ１３がこの係止片１４に係止されてかさの開いた状態を係持する。５はかさのかさ軸１の上部に設けた螺子部、６はかさ布７の略中央部にあけた取付孔、８はかさ布７と同じ素材か、或はその他の材質で形成した雨漏れ防止用の介在布、９は螺子部５に螺着してかさ布７の中央部を固着するための螺合キャップである。
　１０は、かさ布７の外周縁に糸、或いは接着剤等で固着した合成樹脂製等の係合キャップで、この係合キャップ１０は、かさ骨４と同数設け、かさ骨４の夫々の露先部４´に着脱自在に係着するように設ける。」（第３頁第１１行目〜第４頁第１１行目）
「かさ布７をかさ自体に枢着した状態において、かさ布７をかさ自体から離脱させるには、先ず各止着部１１を各かさ骨４からはずし、続いて各係合キャップ１０を各かさ骨４の露先部４´から夫々引き抜いてはずす。最後に螺合キャップ９を螺子部５から取り外してかさ布７をかさ骨４から離脱させる。第１図は上記の様にしてかさ布７を離脱させた状態を示している。
　次にかさ布７をかさ自体に装着するには、先ずかさ布７の取付孔６に螺子部５を通し、介在布８を螺子部５に嵌合し、次いで螺合キャップ９を螺子部５に螺着する。続いて第２図の様に各係合キャップ１０を夫々のかさ骨４の露先部４´に係合すると共に、止着部１１でかさ布７をかさ骨４に止着すると、簡単に完了する。
　以上の様に本考案によれば、かさ自体よりかさ布のみを何人も簡単に着脱することができ、かさ布のみの洗濯や、かさ布の損傷による交換等を容易に行うことができる。」（第５頁第１〜１９行目）
　
エ．同じく平成１３年８月９日付けで当審が通知した取消しの理由に引用した特開昭５０−４４０６１号公報（以下、「刊行物４」という。）には、図面とともに以下の記載がある。
「この発明は一般的に云えば傘構造、更に具体的に云えば、射出成型されたプラスチック材料で作られた部材を持ち、何ら工具又は何ら接続金具或いは留め金具を必要とせずに、容易に組立てることが出来るスナップ式継手を持つ傘構造に関する。」（第１頁左下欄第１５〜１９行目）
「全ての部材が、必要な部品を形成するように射出成型することが出来るプラスチック材料で作られ、製造工程が一体化していて、この為、簡単になる。関連した全ての継手を玉と凹みの設計にすることにより、スナップ式の特徴が得られる。プラスチック材料の固有の弾力性により、スナップ作用が容易に達成される。組立では、何ら工具の助けをかりずに、手で行なうことが出来る。さびを心配する必要もない。射出成型の際、材料の損失が一層少なくなり、製品の品質が一層均一になる。製造費も著しく低減する。」（第２頁左上欄第５〜１６行目）
「第１図について説明すると、この発明のスナップ式傘構造は、固定の頂部ソケット１と、摺動し得るソケット２と、単一又は二重部分形の何れであってもよい複数個のリブ３と、リブの数に対応する数のブレース部材４と、柱５を有し、更に、この発明にそれ程関係ないが、傘の布張り６と柱のキャップ７とを有する。」（第２頁右上欄第１１〜１７行目）
「単一部分形又は二重部分形の何れであっても、リブ３の両端の間の適当な点に、別の突起状締め具３８が一体に形成され、その中に孔３７，３７が設けられる。締め具３８はブレース部材４の上端の玉を保持する作用をする。スナップ動作は前に述べた所と全く同じである。リブ３に組付けた後、ブレース４は矢印Ｂの向きに旋回することが出来る。ブレース４の下端の玉４１が、前述の如く、摺動し得るソケット２にスナップ式にはめられる。」（第３頁右上欄第１〜１０行目）
　
オ．同じく平成１３年８月９日付けで当審が通知した取消しの理由に引用した実公昭４０−２５５６３号公報（以下、「刊行物５」という。）には、図面とともに以下の記載がある。
「ろくろ１全体を合成樹脂から成型すると共に、これに形成される骨端環部２差入用切溝３・・・の中程に該端環部２を掛止する掛止片４を１体に形成して成るろくろに係り、本考案で使用される骨の端環部２は第３図に例示するように側辺１部に切溝５を持つものが必要である。
　本考案は上述のような構成であるから、骨端環部２差入用の切溝３・・・の中程に於てろくろ１にこれと１体に形成した掛止片４に骨端環部２をその側辺切溝５から掛嵌めることにより骨の取付けを極めて容易迅速に行えると共に、ほのようにろくろ１自体の一部を以ってなる掛止片４を骨の結合部材として利用できる構成は従来の金属線による結合方式と異なって組立てコストが低下し、材料費が少なくなる利点がある。」（第１頁左欄第２２行目〜同右欄第１０行目）
　
（３）対比・判断
　上記３．（２）ア．に示した記載及び図面からみて、刊行物１には、下記の発明が記載されている。
「傘地をポリ塩化ビニールで構成した傘。」
　
　本件発明と、刊行物１に記載された発明を対比すると、刊行物１の「傘地」は、本件発明の「シート」に相当するから、両者は、
「特定物質フィルムからなるシートを備えた傘。」で一致し、下記の点で相違する。
　
相違点１
　本件発明は、特定物質として、「ＥＶＡ」を用いるのに対し、刊行物１のものにおいては、ポリ塩化ビニールを用いる点。
　
相違点２
　本件発明は、傘の具体的な構成として、「中棒１の外周に下ろくろ２が上下方向にスライド可能に取付けられ、中棒１の上部に形成された上ろくろ３が固定的に取付けられ、受骨４の一方端は下ろくろ２に回動可能に取付けられており、受骨４の他方端は親骨５の所定部分に取付けられ、親骨５の一方端は上ろくろ３に回動可能に取付けられており、親骨５の他方端にはシート６の露先部６ａが嵌込まれており、上ろくろ３の上部には上ろくろ３との間でシート６を挟むように取外し可能に形成されたキャップ１０が取付けられている」のに対し、刊行物１には図面で柄や親骨が示されているのみで、刊行物１のものは、そうであるか明確でない点。
　
相違点３
　本件発明は、上ろくろとキャップを樹脂により構成したのに対し、刊行物１のものは、そうであるか明確でない点。
　
相違点４
　本件発明は、受骨と親骨を「係合」するように取り付けているのに対し、刊行物１のものは、そうであるか明確でない点。
　
　そこで、上記相違点１乃至４について検討する。
・相違点１について
　前記３．（２）イ．に示した刊行物２の記載は、ＥＶＡが「従来、軟質ポリ塩化ビニルや低密度ポリエチレンなどが使われていた分野に使用されてきている」こと、すなわち、ポリ塩化ビニルに対するＥＶＡの置換可能性を示唆していると認められる。また、本件の特許明細書には、「従来のビニール地をシートとして用いたビニール傘」（段落【００１２】）のシートのかわりに、ＥＶＡフィルムからなるシートを採用するに際して生じ得る具体的な問題点や課題、並びにそれらを解決するための手段について記載されていない。
　よって、刊行物１の傘地の「ポリ塩化ビニル」に換えて、「ＥＶＡ」を用いることは、当業者が容易に想到することができたものと認められる。
　
・相違点２について
　前記３．（２）ウ．の記載及び図面からみて、刊行物３には、「かさ自体よりかさ布のみを何人も簡単に着脱することができ、かさ布のみの洗濯や、かさ布の損傷による交換等を容易に行う」ようにするために、下記の構成を採用したかさが記載されている。
「かさ軸１の外周にスライダ１３が上下方向にスライド可能に取付けられ、かさ軸１の上部に形成された円板３が固定的に取付けられ、支持骨１２の一方端はスライダ１３に枢着自在に取付けられており、支持骨１２の他方端はかさ骨４の所定部分に枢着自在に取付けられ、かさ骨４の一方端は円板３に枢着自在に取付けられており、かさ骨５の他方端にはかさ布７の係合キャップ１０が嵌込まれており、円板３の上部には円板３との間でかさ布７を挟むように取外し可能に形成されたキャップ１０が取付けられているかさ。」
　
　刊行物３の「かさ軸１」、「スライダ１３」、「円板３」、「支持骨１２」、「枢着」、「かさ骨５」、「かさ布７」、「係合キャップ１０」、「かさ」は、それぞれ、本件発明の「中棒１」、「下ろくろ２」、「上ろくろ３」、「受骨４」、「回動」、「親骨５」、「シート６」、「露先部６ａ」、「傘」に相当するから、刊行物３には、「中棒１の外周に下ろくろ２が上下方向にスライド可能に取付けられ、中棒１の上部に形成された上ろくろ３が固定的に取付けられ、受骨４の一方端は下ろくろ２に回動可能に取付けられており、受骨４の他方端は親骨５の所定部分に回動可能に取付けられ、親骨５の一方端は上ろくろ３に回動可能に取付けられており、親骨５の他方端にはシート６の露先部６ａが嵌込まれており、上ろくろ３の上部には上ろくろ３との間でシート６を挟むように取外し可能に形成されたキャップ１０が取付けられている傘。」が記載されている。
　刊行物１及び３はともに傘に関する技術に係るものであるから、刊行物１の傘において、刊行物３の上記構成を採用することは、当業者が容易に想到し得たものである。
　
・相違点３について
　上記３．（２）エ．に示すように、刊行物４には、傘の組立容易化、さびの回避のために、傘の全ての部品をプラスチック材料で形成する旨記載されており、刊行物１の傘の各部品を、組立容易化、さびの回避のために、樹脂材料で構成することは、当業者が容易に想到し得たものである。
　
・相違点４について
　上記３．（２）オ．に示すように、刊行物５には、ろくろと骨の取付部を、骨の端の端環部とろくろの掛止片により構成することにより、取付に金属線を使わなくて良いようにすることにより組立コストを低下させることができる旨記載されている。
　刊行物１において、傘を構成する部材と部材の取付部に、刊行物５のような端環部と掛止片の係合構成を採用することは、当業者が容易に想到し得たものである。
　
　さらに、本件発明が奏する作用、効果は、刊行物１乃至５の記載から容易に予測できたものである。
　したがって、本件発明は、刊行物１乃至５に記載された発明に基づいて、当業者が容易に発明をすることができたものである。
　
４．むすび
　以上のとおりであるから、本件発明は、特許法第２９条第２項に規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１２月３日（２００１．１２．３）
【訂正の要旨】
訂正の要旨
　審決（決定）の【理由】欄参照。
（５４）【発明の名称】
傘
（５７）【特許請求の範囲】
　【請求項１】　
中棒１の外周に下ろくろ２が上下方向にスライド可能に取付けられ、中棒１の上部に樹脂によって形成された上ろくろ３が固定的に取付けられ、受骨４の一方端は下ろくろ２に回動可能に取付けられており、受骨４の他方端は親骨５の所定部分と係合するように取付けられ、親骨５の一方端は上ろくろ３に回動可能に取付けられており、親骨５の他方端にはＥＶＡフィルムからなるシート６の露先部６ａが嵌込まれており、上ろくろ３の上部には上ろくろ３との間でシート６を挟むように取外し可能な樹脂によって形成されたキャップ１０が取付けられている傘。
【発明の詳細な説明】
　【産業上の利用分野】
　この発明は、傘に関し、より特定的には、組立が容易な傘に関する。
　【従来の技術】
　図１４は、従来のビニール傘の構成を示した概略図である。図１３を参照して、従来のビニール傘では、樹脂からなる下ろくろ１０２が金属からなる中棒１０１の外周にスライド可能に取付けられている。また、中棒１０１の上部には樹脂からなる上ろくろ１０３が固定的に取付けられている。下ろくろ１０２には、金属からなる受骨１０４の一方端が針金１０９によって回動可能に取付けられている。受骨１０４の他方端は、金属からなる親骨１０５の受骨係合部１０５ｂとピン１１０によって係合されている。
　上ろくろ１０３には親骨１０５の一方端が針金１１１によって回動可能に取付けられている。全体を覆うようにビニール地からなるシート１０６が取付けられており、シート１０６の露先部１０６ａが親骨１０５の先端に嵌込まれている。さらに、シート１０６には開き防止部材１１２が取付けられている。また、中棒１０１の下端部には樹脂からなるハンドル１０８が取付けられている。図１４は、傘を開いた状態であり、下ろくろ１０２は金属からなる下ストッパ１０７ａと樹脂からなる上ストッパ１０７ｂとによってその上下方向のスライドが規制されている。
　図１５は、図１４に示したＡ部分の拡大斜視図であり、図１６はＡ部分の平面図であり、図１７は図１６のＸ−Ｘ線に沿った断面図である。図１５〜図１７を参照して、従来の傘では、各々の受骨１０４の先端に設けられた穴に針金１０９が通された後、その針金１０９を下ろくろ１０２の溝１０２ｂに巻付けることによって、受骨１０４を下ろくろ１０２に対して回動可能に取付けていた。受骨１０４は下ろくろ１０２の溝１０２ａに挿入され、上下方向に回動可能である。このように、下ろくろ１０２は縦方向の溝１０２ａと横方向の溝１０２ｂとを有している。
　図１８は、図１４に示したＢ部分の拡大斜視図であり、図１９はＢ部分の断面図であり、図２０は図１９の底面図である。図１８〜図２０を参照して、従来では、各々の親骨１０５の先端に設けられた穴に針金１１１を通した後その針金を上ろくろ１０３の溝１０３ｂに巻付けることによって、親骨１０５を上ろくろ１０３に対して回動可能に取付けていた。親骨１０５の先端部分は上ろくろ１０３の溝１０３ａに挿入されており、その溝１０３ａに沿って親骨１０５は上下方向に回動可能である。このように、上ろくろ１０３は、針金１１１が巻付けられる横方向の溝１０３ｂと親骨１０５の先端部分が挿入される縦方向の溝１０３ａとを有している。
　図２１は、受骨１０４を示した斜視図である。図２１を参照して、従来の傘では、受骨１０４の下ろくろ１０２（図１４参照）に挿入される側の端部はその厚みが薄くなるように形成されているとともにその端部には貫通穴１０４ａが形成されている。また、受骨１０４の親骨１０５（図１４参照）と係合する側の端部はコの字形状に形成されているとともに穴１０４ｂが形成されている。
　図２２は、親骨１０５を示した斜視図である。図２２を参照して、親骨１０５の受骨１０４（図１４参照）と係合する部分には、穴１０５ｂが形成されている。また、親骨１０５の上ろくろ１０３（図１４参照）と係合する部分は、その厚みが薄くなるように形成されているとともに、穴１０５ａが形成されている。親骨１０５の露先部１０６ａが嵌込まれる部分１０５ｃは他の部分に比べて細くなるように形成されている。
　【発明が解決しようとする課題】
　上述した従来の傘では、下ろくろ１０２に対して受骨１０４を回動可能に取付けるために、針金１０９を各々の受骨１０４の穴１０４ａに通した後その針金１０９を下ろくろ１０２の溝１０２ｂに巻付けていた。しかしながら、このような作業は非常に煩雑であり、このため従来では製造工程を簡略化するのは困難であった。その結果、製造コストが上昇してしまうという問題点があった。
　また、上ろくろ１０３に対して親骨１０５を回動可能に取付ける際にも下ろくろ１０２に対して受骨１０４を回動可能に取付ける際と同様の作業が必要であり、組立作業に長時間を要していた。
　さらに、従来の構造では、受骨１０４と親骨１０５との係合部分は、図２３に示すように、ピン１１０を１０４ｂおよび１０５ｂに通した後両端でかしめるという方法を用いていた。このため、かしめ作業が必要となり、これによっても傘の組立工程が複雑になっていた。
　さらに、従来の傘の構造では、傘の先端部分から浸入した雨水が針金１１１にまで到達しやすく、その場合針金１１１が腐食してしまうという不都合が生じていた。その結果、針金１１１部分が強度的に弱くなり、破損しやすいという問題点があった。
　また、図１４に示した従来のビニール地をシート１０６として用いたビニール傘では、たとえば強い風を受けた場合に露先部１０６ａが親骨１０５から外れると、シート１０６が中棒１０１の先端部分から剥れてしまうという問題点があった。このため、従来の構造では強い風に対して対処するのが困難であるという問題点もあった。また、シート１０６に別に開き防止部材１１２を取付ける必要があり、これによっても組立作業が複雑になっていた。
　上記のように、従来では、組立が容易で、かつ構造的に安定した傘を提供するのは困難であった。
　本願発明は、上記のような課題を解決するためになされたもので、組立が容易でかつ構造的に安定した傘を提供することを目的とする。
　【課題を解決するための手段】
　本願発明にとって不可欠なことは、傘のシートがＥＶＡフィルムからなることである。本願発明に従った傘は、好ましくは、中棒と、下ろくろと、上ろくろと、受骨と、親骨と、シートとを備えている。下ろくろは、中棒の外周にスライド可能に設けられており、その所定部分に複数の受骨係合部を有している。上ろくろは、中棒の先端部分に固定的に設けられており、その所定部分に複数の親骨係合部を有している。受骨は、下ろくろの受骨係合部にその一方端が係合されている。親骨は、受骨の他方端にその所定部分が係合されており、その一方端が上ろくろの親骨係合部に係合されている。シートは、親骨を覆うように取付けられている。
　また、好ましくは、受骨係合部に係合する受骨の一方端と、親骨係合部に係合する親骨の一方端とを、ともにフック形状を有するように構成してもよい。この場合、さらに、親骨と係合する受骨の他方端をフック形状を有するように構成してもよい。また、好ましくは、上ろくろとの間でシートを挟むように着脱可能に設けられたキャップをさらに備えるように構成してもよい。また、開いた状態で下ろくろを固定するための下ストッパおよび上ストッパをさらに備えるように構成し、その下ストッパおよび上ストッパを一体的に形成するようにしてもよい。また、閉じた状態で親骨が開かないように固定するための固定部と所定の場所からつり下げるためのつり下げ部とを有するつり下げ兼用開き防止部材をさらに備えるように構成してもよい。
　【作用】
　下ろくろの所定部分に複数の受骨係合部が設けられ、その受骨係合部に受骨の一方端が係合され、また、上ろくろに複数の親骨係合部が設けられ、その親骨係合部に親骨の一方端が係合されるので、従来のように下ろくろおよび上ろくろに受骨および親骨をそれぞれ回動可能に取付けるための針金が不要となる。それにより、従来のように受骨および親骨の穴に針金を通した後その針金を下ろくろおよび上ろくろの溝に巻付ける作業が不要となり、組立作業が著しく簡略化される。
　また、受骨係合部に係合する受骨の一方端と親骨係合部に係合する親骨の一方端とをともにフック形状を有するように構成すれば、受骨と下ろくろとの結合作業と、親骨と上ろくろとの結合作業が単純な作業で行なわれる。さらに、親骨と係合する受骨の他方端をフック形状を有するよう構成すれば、従来のように親骨と受骨とを係合する際にかしめ作業が不要となり、これにより組立作業がより簡略化される。
　また、上ろくろとの間でシートを挟むために着脱可能なキャップを設けるように構成すれば、強い風が吹いた場合にシートの露先部が親骨の先端から外れたとしても、シートが剥れるのがそのキャップによって防止される。これにより、安定した構造の傘が得られる。
　また、傘を開いた状態で下ろくろを固定するための下ストッパおよび上ストッパを一体的に構成すれば、組立作業がより容易になる。また、閉じた状態で親骨が開かないように固定するための固定部と所定の場所からつり下げるためのつり下げ部とを有するつり下げ兼用開き防止部材をさらに設けるように構成すれば、従来のようにシートに開き防止部材を取付ける必要がなく、これによっても組立作業は簡略化される。
　【実施例】
　以下、本発明の実施例を図面に基づいて説明する。
　図１は、本発明の一実施例による傘の構成を示した概略図である。図１を参照して、本実施例の傘では、シート６を除くすべての部材が樹脂によって形成されている。用いる樹脂としては、ＡＢＳ樹脂，ＰＳ（ポリスチレン）樹脂，ＰＰ（ポリプロピレン）樹脂，ＰＥ（ポリエチレン）樹脂，ＰＶＣ（塩化ビニール），アクリル樹脂，ＰＣ（ポリカーボネート）樹脂，ＰＯＭ（ポリアセタール）樹脂，ナイロン（６，６６，１２）樹脂などがある。また、シート６の材料としては、ＥＶＡフィルムを用いる。
　本実施例の傘では、従来と同様に、中棒１の外周に下ろくろ２が上下方向にスライド可能に取付けられている。また、中棒１の上部に上ろくろ３が固定的に取付けられている。受骨４の一方端は下ろくろ２に回動可能に取付けられており、受骨４の他方端は親骨５の所定部分と係合するように取付けられている。親骨５の一方端は上ろくろ３に回動可能に取付けられている。親骨５の他方端にはシート６の露先部６ａが嵌込まれている。上ろくろ３の上部には上ろくろ３との間でシート６を挟むように取外し可能なキャップ１０が取付けられている。中棒１の下端には把持部８が取付けられている。把持部８の上部外周部分には開き防止兼用つり下げ部９が嵌込まれている。また、傘を開いた状態で下ろくろ２の上下方向の移動を規制するための下ストッパ７ａおよび上ストッパ７ｂが設けられている。
　図２は、図１に示した下ろくろ２近傍の詳細を説明するための拡大斜視図である。図３は、下ろくろ２の平面図であり、図４は図３に示したＸ−Ｘ線に沿った断面図である。図５は、受骨４を示した斜視図である。図２〜図５を参照して、本実施例では、下ろくろ２と受骨４とは下ろくろ２に設けられた受骨係合部２ａと受骨４のフック形状を有する下ろくろ係合部４ａとを係合させることによって下ろくろ２に受骨４が回動可能に取付けられている。
　このように構成することによって、図１４に示した従来の傘のように下ろくろ２と受骨４とを係合させるために針金を用いる必要がなく、その結果、従来行なわれていた針金を各々の受骨に設けられた穴に通した後その針金を下ろくろに設けられた溝に巻付けるという作業が不要となる。その結果、組立作業を著しく簡略化することができるという効果がある。
　つまり、本実施例では、受骨４の下ろくろ係合部４ａを下ろくろ２の受骨係合部２ａに単純に係合させるだけで、下ろくろ２に対して受骨４を回動可能に容易に取付けることができる。これにより、組立時間を短縮することができ、その結果製造コストを低減することができる。また、針金を必要としないため部品点数を削減することができるという効果もある。
　図６は、図１に示した上ろくろ３近傍の斜視図である。図７は図１に示した親骨５の斜視図である。図６および図７を参照して、本実施例では上ろくろ３の構造は基本的には下ろくろ２の構造と同じである。上ろくろ３は下ろくろ２と上下を逆にした状態で用いる。
　具体的には、上ろくろ３の親骨係合部３ａに親骨５の上ろくろ係合部５ａを係合せさるだけで、上ろくろ３に対して親骨５を容易に回動可能に取付けることができる。この上ろくろ３と親骨５との関係においても、上記した下ろくろ２と受骨４との関係と同様、従来必要であった針金が不要となり、その結果組立作業を著しく簡略化することができる。また、針金を用いていないので、従来のように上ろくろ部分に用いている針金に雨水が付着しその結果針金が腐食して破損が生じやすいという問題点も解消することができる。
　また、受骨４と親骨５との係合においても、受骨４の親骨係合部４ｂを親骨５の受骨係合部５ｂに係合させるだけで、容易に受骨４と親骨５との係合を行なうことができる。これにより、従来のように受骨４と親骨５との係合の際にかしめ作業を行なう必要がなく、その結果、組立作業を単純化することができる。さらに、図６および図７に示すように、親骨５の上ろくろ係合部５ａを親骨５の他の部分から取りはずし可能に設けることによって、親骨５の上ろくろ係合部５ａを上ろくろ３の親骨係合部３ａに係合する際に、上ろくろ係合部５ａ単体を親骨係合部３ａに係合するだけで係合作業が完了する。これにより、組立作業をより容易にすることができる。
　図８は、図１に示したキャップ１０の断面構造図であり、図９はキャップ１０の斜視図である。図８および図９を参照して、本実施例では、キャップ１０の穴１０ａを上ろくろ３（図１参照）の突出部３ｂに嵌込むことによって、上ろくろ３とキャップ１０の下部との間でシート６を挟み込んでいる。これにより、たとえば強風が吹いた場合に、シート６の露先部６ａが親骨５から外れたとしても、シート６が完全に傘から剥れてしまうという不都合を有効に防止することができる。これにより、安定した構造の傘を得ることができる。また、キャップ１０は容易に取外し可能になっているので、シート６を容易に取換えることができる。さらに、焼却を行なう際にもシート６を容易に取外してビニール地からなるシート６と樹脂からなる他の部分とを分けて燃やすことができ、その結果、環境対策としても優れた構造といえる。
　図１０は、図１に示した下ストッパ７ａおよび上ストッパ７ｂからなるストッパ７の構造を示した概略図である。図１１は、図１０に示したストッパ７を中棒１の中に嵌込んだ状態を示した概略図である。図１０および図１１を参照して、本実施例では、このように下ストッパ７ａおよび上ストッパ７ｂを樹脂によって一体的に形成することにより、従来に比べて組立作業をより簡略化することができる。
　図１２は、図１に示した開き防止兼用つり下げ部の概略斜視図である。図１２を参照して、本実施例では、つり下げ部９ａおよび開き防止部９ｂからなる開き防止兼用つり下げ部９を設けることによって、従来のようにシート６に開き防止部材を取付ける必要がない。これにより、組立作業をより簡略化することができる。通常は図１に示すように開き防止部９ｂを把持部８の上部外周に嵌込んでおく。そして、傘を閉じたときには図１３に示すような状態で用いる。
　【発明の効果】
　下ろくろの所定部分に受骨係合部を設け、上ろくろの所定部分に親骨係合部を設けることによって、従来下ろくろおよび上ろくろと受骨および親骨との係合に用いていた針金が不要となり、その結果、組立作業を著しく簡素化することができる。また、針金を用いていないため針金に雨水が付着して針金が腐食する結果破損しやすいという不都合もない。また、受骨の一方端と親骨の一方端とをともにフック形状を有するように構成すれば、下ろくろと受骨との係合作業と上ろくろと親骨との係合作業をより簡便に行なうことができる。また、親骨と係合する受骨の部分をフック形状に構成することによっても、同様に組立作業を簡略化することができる。また、上ろくろとの間でシートを挟むように着脱可能に設けられたキャップをさらに備えるように構成すれば、たとえば強風によってシートの露先部が親骨から外れたとしても、シート全体が剥れる不都合をキャップによって防止することができる。また、そのキャップは取外し可能であるのでシートを容易に交換することができる。また、開いた状態で下ろくろを固定するための下ストッパおよび上ストッパを一体的に構成すれば、組立作業がより容易になるという効果が得られる。さらに、閉じた状態で親骨が開かないように固定するための固定部と所定の場所からつり下げるためのつり下げ部とを有するつり下げ兼用開き防止部材をさらに備えるようにすれば、従来のようにシートに開き防止部材を取付ける必要がなく、その結果組立作業が容易になるという効果が得られる。
【図面の簡単な説明】
　【図１】
　本発明の一実施例による傘を示した概略図である。
　【図２】
　図１に示した一実施例の傘の下ろくろ近傍の斜視図である。
　【図３】
　図１に示した下ろくろの平面図である。
　【図４】
　図３に示した下ろくろのＸ−Ｘ線に沿った断面図である。
　【図５】
　図１に示した受骨の斜視図である。
　【図６】
　図１に示した上ろくろ近傍の斜視図である。
　【図７】
　図１に示した親骨の斜視図である。
　【図８】
　図１に示したキャップの断面図である。
　【図９】
　図８に示したキャップの斜視図である。
　【図１０】
　図１に示した下ストッパおよび上ストッパの概略図である。
　【図１１】
　図１０に示した下ストッパおよび上ストッパを中棒に挿入した状態を示した概略図である。
　【図１２】
　図１に示した開き防止兼用つり下げ部の斜視図である。
　【図１３】
　図１に示した一実施例の傘を閉じた状態を示した斜視図である。
　【図１４】
　従来のビニール傘を示した概略図である。
　【図１５】
　図１４に示したＡ部分の斜視図である。
　【図１６】
　図１４に示したＡ部分の平面図である。
　【図１７】
　図１６に示したＸ−Ｘ線に沿った断面図である。
　【図１８】
　図１４に示したＢ部分の斜視図である。
　【図１９】
　図１４に示したＢ部分の断面図である。
　【図２０】
　図１４に示したＢ部分の底面図である。
　【図２１】
　図１４に示した従来の受骨の斜視図である。
　【図２２】
　図１４に示した従来の親骨の斜視図である。
　【図２３】
　従来の受骨と親骨との係合状態を説明するための斜視図である。
　【符号の説明】
　１：中棒
　２：下ろくろ
　３：上ろくろ
　４：受骨
　５：親骨
　６：シート
　７ａ：下ストッパ
　７ｂ：上ストッパ
　８：把持部
　９：開き防止兼用つり下げ部
　１０：キャップ
　なお、各図中、同一符号は同一または相当部分を示す。